【手続補正書】
【提出日】平成25年12月16日(2013.12.16)
【手続補正１】
【補正対象書類名】明細書
【補正対象項目名】０００６
【補正方法】変更
【補正の内容】
【０００６】
上記課題を解決するため、本発明の画像出力装置は、
画像を取得する取得手段と、この取得手段により取得された前記画像の画素数に基づいて、画像の出力態様を変更させる画像処理を当該画像に対して施すか否かを判定する判定手段と、この判定手段により前記画像処理を施すと判定されると、前記画像に対して前記画像処理を施す画像処理手段と、この画像処理手段により前記画像処理が施された画像を被出力部に出力させる制御手段と、を備えることを特徴としている。
更に、本発明の画像出力装置は、
画像を取得する取得手段と、被出力部に出力にする際の出力サイズに基づいて、この取得手段により取得された前記画像の出力態様を変更させる画像処理を当該画像に対して施すか否かを判定する判定手段と、この判定手段により前記画像処理を施すと判定されると、前記画像に対して前記画像処理を施す画像処理手段と、この画像処理手段により前記画像処理が施された画像を前記被出力部に出力させる制御手段と、を備えることを特徴としている。
【手続補正２】
【補正対象書類名】明細書
【補正対象項目名】０００７
【補正方法】変更
【補正の内容】
【０００７】
また、本発明の画像出力方法は、
画像出力装置を用いた画像出力方法であって、画像を取得する処理と、取得された前記画像の画素数に基づいて、画像の出力態様を変更させる画像処理を当該画像に対して施すか否かを判定する処理と、前記画像処理を施すと判定されると、前記画像に対して前記画像処理を施す処理と、前記画像処理が施された画像を被出力部に出力させる処理と、を含むことを特徴としている。
更に、本発明の画像出力方法は、
画像出力装置を用いた画像出力方法であって、画像を取得する処理と、被出力部に出力にする際の出力サイズに基づいて、取得された前記画像の出力態様を変更させる画像処理を当該画像に対して施すか否かを判定する処理と、前記画像処理を施すと判定されると、前記画像に対して前記画像処理を施す処理と、前記画像処理が施された画像を前記被出力部に出力させる処理と、を含むことを特徴としている。
【手続補正３】
【補正対象書類名】明細書
【補正対象項目名】０００８
【補正方法】変更
【補正の内容】
【０００８】
また、本発明のプログラムは、
画像出力装置のコンピュータを、画像を取得する取得手段、この取得手段により取得された前記画像の画素数に基づいて、画像の出力態様を変更させる画像処理を当該画像に対して施すか否かを判定する判定手段、この判定手段により前記画像処理を施すと判定されると、前記画像に対して前記画像処理を施す画像処理手段、この画像処理手段により前記画像処理が施された画像を被出力部に出力させる制御手段、として機能させることを特徴としている。
更に、本発明のプログラムは、
画像出力装置のコンピュータを、画像を取得する取得手段、被出力部に出力にする際の出力サイズに基づいて、この取得手段により取得された前記画像の出力態様を変更させる画像処理を当該画像に対して施すか否かを判定する判定手段、この判定手段により前記画像処理を施すと判定されると、前記画像に対して前記画像処理を施す画像処理手段、この画像処理手段により前記画像処理が施された画像を前記被出力部に出力させる制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
画像を取得する取得手段と、
この取得手段により取得された前記画像の画素数に基づいて、画像の出力態様を変更させる画像処理を当該画像に対して施すか否かを判定する判定手段と、
この判定手段により前記画像処理を施すと判定されると、前記画像に対して前記画像処理を施す画像処理手段と、
この画像処理手段により前記画像処理が施された画像を被出力部に出力させる制御手段と、
を備えることを特徴とする画像出力装置。
【請求項２】
前記画像処理は、処理内容を異ならせて複数規定され、
前記画像の画素数に基づいて、前記複数の画像処理の中から所定の処理内容の画像処理を指定する処理内容指定手段を更に備え、
前記画像処理手段は、前記処理内容指定手段により指定された前記所定の処理内容の画像処理を前記画像に対して施すことを特徴とする請求項１に記載の画像出力装置。
【請求項３】
前記画像の画素数に基づいて、前記画像処理の処理強度を設定する処理強度設定手段を更に備え、
前記画像処理手段は、前記処理強度設定手段により設定された処理強度で前記画像処理を前記画像に対して施すことを特徴とする請求項１又は２に記載の画像出力装置。
【請求項４】
前記判定手段は、前記取得手段により取得される前記画像の画素数が、第１判定値よりも少ない場合は、前記画像処理を施すと判定することを特徴とする請求項１〜３の何れか一項に記載の画像出力装置。
【請求項５】
前記処理強度設定手段は、前記取得手段により取得される前記画像の画素数と前記第１判定値との差の大きさに基づいて、前記画像処理の処理強度を設定することを特徴とする請求項４に記載の画像出力装置。
【請求項６】
画像を取得する取得手段と、
被出力部に出力にする際の出力サイズに基づいて、この取得手段により取得された前記画像の出力態様を変更させる画像処理を当該画像に対して施すか否かを判定する判定手段と、
この判定手段により前記画像処理を施すと判定されると、前記画像に対して前記画像処理を施す画像処理手段と、
この画像処理手段により前記画像処理が施された画像を前記被出力部に出力させる制御手段と、
を備えることを特徴とする画像出力装置。
【請求項７】
前記被出力部に出力にする際の出力サイズを指定する指定手段を更に備え、
前記判定手段は、前記指定手段により指定された出力サイズに基づいて、前記画像処理を施すか否かを判定することを特徴とする請求項６に記載の画像出力装置。
【請求項８】
前記画像処理は、処理内容を異ならせて複数規定され、
前記被出力部に出力にする際の出力サイズに基づいて、前記複数の画像処理の中から所定の処理内容の画像処理を指定する処理内容指定手段を更に備え、
前記画像処理手段は、前記処理内容指定手段により指定された前記所定の処理内容の画像処理を前記画像に対して施すことを特徴とする請求項６又は７に記載の画像出力装置。
【請求項９】
前記被出力部に出力にする際の出力サイズに基づいて、前記画像処理の処理強度を設定する処理強度設定手段を更に備え、
前記画像処理手段は、前記処理強度設定手段により設定された処理強度で前記画像処理を前記画像に対して施すことを特徴とする請求項６〜８の何れか一項に記載の画像出力装置。
【請求項１０】
前記判定手段は、前記取得手段により取得される前記画像を前記被出力部に出力にする際の出力サイズが、第２判定値を超えている場合は、前記画像処理を施すと判定することを特徴とする請求項６〜９の何れか一項に記載の画像出力装置。
【請求項１１】
前記処理強度設定手段は、前記取得手段により取得される前記画像を前記被出力部に出力にする際の出力サイズと前記第２判定値との差の大きさに基づいて、前記画像処理の処理強度を設定することを特徴とする請求項１０に記載の画像出力装置。
【請求項１２】
前記画像処理は、前記取得手段により取得された画像の表示態様を絵画風に変化させるアート変換処理であることを特徴とする請求項１〜１１の何れか一項に記載の画像出力装置。
【請求項１３】
前記制御手段は、前記判定手段により前記画像処理を施さないと判定されると、前記取得手段により取得された画像をそのまま前記被出力部に出力させることを特徴とする請求項１〜１２の何れか一項に記載の画像出力装置。
【請求項１４】
前記被出力部は、画像を表示する表示部であり、
前記判定手段は、更に前記表示部の解像度に基づいて、前記画像処理を施すか否かを判定することを特徴とする請求項１又は６に記載の画像出力装置。
【請求項１５】
画像出力装置を用いた画像出力方法であって、
画像を取得する処理と、
取得された前記画像の画素数に基づいて、画像の出力態様を変更させる画像処理を当該画像に対して施すか否かを判定する処理と、
前記画像処理を施すと判定されると、前記画像に対して前記画像処理を施す処理と、
前記画像処理が施された画像を被出力部に出力させる処理と、
を含むことを特徴とする画像出力方法。
【請求項１６】
画像出力装置を用いた画像出力方法であって、
画像を取得する処理と、
被出力部に出力にする際の出力サイズに基づいて、取得された前記画像の出力態様を変更させる画像処理を当該画像に対して施すか否かを判定する処理と、
前記画像処理を施すと判定されると、前記画像に対して前記画像処理を施す処理と、
前記画像処理が施された画像を前記被出力部に出力させる処理と、
を含むことを特徴とする画像出力方法。
【請求項１７】
画像出力装置のコンピュータを、
画像を取得する取得手段、
この取得手段により取得された前記画像の画素数に基づいて、画像の出力態様を変更させる画像処理を当該画像に対して施すか否かを判定する判定手段、
この判定手段により前記画像処理を施すと判定されると、前記画像に対して前記画像処理を施す画像処理手段、
この画像処理手段により前記画像処理が施された画像を被出力部に出力させる制御手段、
として機能させることを特徴とするプログラム。
【請求項１８】
画像出力装置のコンピュータを、
画像を取得する取得手段、
被出力部に出力にする際の出力サイズに基づいて、この取得手段により取得された前記画像の出力態様を変更させる画像処理を当該画像に対して施すか否かを判定する判定手段、
この判定手段により前記画像処理を施すと判定されると、前記画像に対して前記画像処理を施す画像処理手段、
この画像処理手段により前記画像処理が施された画像を前記被出力部に出力させる制御手段、
として機能させることを特徴とするプログラム。